(57)【要約】【課題】交換時期をずれないようにすることができることを目的とする。【解決手段】画像形成装置が、円筒部材からなり、周面にトナー画像を周面に担持し、接触することで転写体に前記トナー画像を転写し、トナーの色に応じた像担持体と、前記像担持体にトナーを供給する現像部とを具備し、印刷時に印刷条件に応じて前記像担持体と前記転写体との接触／非接触を切り替える画像形成装置であって、印刷時に、前記像担持体と前記転写体とが接触し、前記現像部が動いている場合に、前記像担持体及び前記現像部が消耗したとして記録する記録手段を具備する。【選択図】図１
2011154299.tif 000002
【特許請求の範囲】
【請求項１】
円筒部材からなり、周面にトナー画像を周面に担持し、接触することで転写体に前記トナー画像を転写し、トナーの色に応じた像担持体と、前記像担持体にトナーを供給する現像部とを具備し、印刷時に印刷条件に応じて前記像担持体と前記転写体との接触／非接触を切り替える画像形成装置であって、
印刷時に、前記像担持体と前記転写体とが接触し、前記現像部が動いている場合に、前記像担持体及び前記現像部が消耗したとして記録する記録手段を具備することを特徴とする画像形成装置。
【請求項２】
モノクロ印刷時に１色の像担持体のみ転写体に接触させる画像形成装置であって、
前記記録手段は、モノクロ印刷時であっても、前記像担持体と前記転写体とが接触し、前記現像部が動いている場合に、前記像担持体と前記現像部が消耗したとして記録する請求項１に記載の画像形成装置。
【発明の詳細な説明】
【技術分野】
【０００１】
本発明は、画像形成装置に関する。
【背景技術】
【０００２】
電子写真方式の画像形成装置は、フルカラーの画像形成時にＹ（イエロー）、Ｍ（マゼンダ）、Ｃ（シアン）及びＫ（ブラック）の全ての感光ドラムを転写体（中間転写ベルトなど）に接触させ、これら全ての感光ドラムとその現像装置を稼動させることでフルカラー画像を転写体に生成する。また、画像形成装置は、モノクロの画像形成時に、Ｋ以外のＹ、Ｍ、Ｃの感光ドラムを転写体と接触しないようにした上で、Ｋの感光ドラムとその現像装置を稼動させることで転写体にモノクロ画像を生成する。しかし、モノクロ印刷とフルカラー印刷との混在時には、印刷のスピードを優先する場合に、Ｙ、Ｍ、Ｃの感光ドラムを転写体と接触に接触させたままモノクロ印刷を実行する。この場合のモノクロ印刷では、Ｋの感光ドラム上にのみ画像が形成され、Ｙ、Ｍ、Ｃの感光ドラムは転写体の移動に合わせて回転するだけである。例えば、下記特許文献１に、上述したような画像形成装置が開示されている。
【先行技術文献】
【特許文献】
【０００３】
【特許文献１】特開２０００−３９８１６号公報
【発明の概要】
【発明が解決しようとする課題】
【０００４】
ところで、上記従来技術では、モノクロ印刷とフルカラー印刷とが混在するような場合に、印刷スピードを優先するために、Ｙ、Ｍ、Ｃの感光ドラムを転写体に接触させたままモノクロコピーを実行する。しかしながら、この際に、Ｙ、Ｍ、Ｃの感光ドラムも回転するとともに転写体に接触する、すなわちこれら感光ドラム消耗しているが、Ｋの感光ドラムは消耗したとして記録されるが、Ｙ、Ｍ、Ｃの感光ドラムは消耗したとして記録されない。また、現像部も感光ドラムと同じく動作しているが、消耗したとして記録されない。このため、感光ドラム及び現像部の実際の消耗度と、記録上の消耗度とに乖離が生じてしまうので感光ドラムの交換時期にずれが生じる。
【０００５】
本発明は、上述した事情に鑑みてなされたものであり、交換時期をずれないようにすることができることを目的とする。
【課題を解決するための手段】
【０００６】
上記目的を達成するために、本発明では、画像形成装置に係る第１の解決手段として、円筒部材からなり、周面にトナー画像を周面に担持し、接触することで転写体に前記トナー画像を転写し、トナーの色に応じた像担持体と、前記像担持体にトナーを供給する現像部とを具備し、印刷時に印刷条件に応じて前記像担持体と前記転写体との接触／非接触を切り替える画像形成装置であって、印刷時に、前記像担持体と前記転写体とが接触し、前記現像部が動いている場合に、前記像担持体及び前記現像部が消耗したとして記録する記録手段を具備するという手段を採用する。
【０００７】
本発明では、画像形成装置に係る第２の解決手段として、上記第１の解決手段において、モノクロ印刷時に１色の像担持体のみ転写体に接触させる画像形成装置であって、前記記録手段は、モノクロ印刷時であっても、前記像担持体と前記転写体とが接触し、前記現像部が動いている場合には、前記像担持体と前記現像部が消耗したとして記録するという手段を採用する。
【発明の効果】
【０００８】
本発明によれば、印刷時に像担持体と転写体とが接触し、現像部が動いている場合に、前記像担持体が消耗したとして記録するので、すなわち従来のように像担持体が接触していたとして印刷に使用されなかった場合に消耗したとして記録されなかたものと比較して像担持体の交換時期をずれないようにすることができる。また、本発明は、現像部が動いている場合に、現像部が消耗したとして記録するので、現像部の交換時期をずれないようにすることができる。
【図面の簡単な説明】
【０００９】
【図１】本発明の実施形態に係る複合機Ａの機能ブロック図である。
【図２】本発明の実施形態に係る複合機Ａの概略構成を示す断面図である。
【図３】本発明の実施形態に係る複合機Ａの移動ユニット４３１の動作を示す模式図である。
【発明を実施するための形態】
【００１０】
以下、図面を参照して、本発明の一実施形態について説明する。
まず、本実施形態に係る複合機Ａの構成について、図１及び図２を参照して、説明する。
本実施形態に係る複合機Ａ（画像形成装置）は、コピー機能、プリント機能、スキャン機能、ファクシミリ送信／受信機能及び電子メール送信機能を併せ持つ。そして、複合機Ａは、図１に示すように、画像読取部１、画像データ記憶部２、画像処理部３、用紙搬送／画像形成部４、操作表示部５、通信Ｉ／Ｆ部６及びメインコントローラ７から構成されている。なお、用紙搬送／画像形成部４及びメインコントローラ７が、本実施形態における記録手段を構成する。
【００１１】
画像読取部１は、ＡＤＦ（自動原稿送り装置）１ａとＣＣＤ(Charge Coupled Device)センサ１ｂなどを備え、メインコントローラ７の制御の下でＡＤＦ１ａによって順次給紙される原稿の画像をＣＣＤセンサに読み取らせ、原稿画像に基づく原稿画像データをメインコントローラ７に出力する。一方、メインコントローラ７は、原稿画像データを画像データ記憶部２に記憶させる。画像読取部１は、図２に示すように、複合機Ａの上部を構成するものである。具体的に、ＡＤＦ１ａは、原稿トレイ、ピックアップローラ、搬送ローラ、排紙ローラ及び原稿排出トレイを備え、原稿トレイセットされた複数枚の原稿をピックアップローラで１枚ずつ内部に取り込み、当該原稿を搬送ローラで原稿台まで搬送し、原稿台のＣＣＤセンサに原稿が読み取られると、排紙ローラによって原稿を原稿排出トレイに排紙する。
【００１２】
画像データ記憶部２は、例えばフラッシュメモリまたはハードディスクであり、メインコントローラ７の制御の下で原稿画像データ、通信Ｉ／Ｆ部６が外部（クライアントコンピュータ及び公衆網など）から受信するプリント画像データ及びファクシミリ画像データを記憶する。なお、画像データ記憶部２は、原稿画像データ、プリント画像データ及びファクシミリ画像データをビットマップデータで記憶する。
【００１３】
画像処理部３は、メインコントローラ７の制御の下で画像データ記憶部２から入力される画像データに対して各種画像処理（例えば、拡大縮小コピーに対応した画像処理）を施すとともに、画像データを画像形成形式の画像データに変換して用紙搬送／画像形成部４に出力する。画像読取部１がカラー原稿を読み取った場合、画像データ記憶部２から画像処理部３に入力される画像データは光の三原色に対応したＲＧＢ画像データ（カラー画像データ）となるが、画像処理部３は、このようなＲＧＢ画像データを画像形成形式に対応した画像データ、例えばＹＭＣＫ画像データ、つまりＹ（イエロー）、Ｍ（マゼンダ）、Ｃ（シアン）及びＫ（ブラック）を基準色とする画像データに変換して用紙搬送／画像形成部４に出力する。
【００１４】
用紙搬送／画像形成部４は、画像処理部３から入力された印刷形式画像データに基づいて、印刷用紙にトナーを転写し、当該トナーの定着処理を行うことによって、印刷用紙に画像を形成するものである。この用紙搬送／画像形成部４は、図１に示す用紙搬送／画像形成用ＣＰＵ（Central Processing Unit）４ａ、用紙搬送／画像形成用ＲＯＭ（Read Only Memory）４ｂ及び用紙搬送／画像形成用ＲＡＭ（Random Access Memory）４ｃとともに、図２に示す各色（Ｋ，Ｙ，Ｃ，Ｍ）に対応する画像（トナー画像）を形成する画像形成ユニット４１Ｋ，４１Ｙ，４１Ｃ，４１Ｍ、レーザスキャニングユニット４２、転写ユニット４３、定着ユニット４４、トナーカートリッジ４５Ｋ，４５Ｙ，４５Ｃ，４５Ｍ、給紙ローラ４６、用紙カセット４７及び給紙トレイ４８を備えている。
【００１５】
用紙搬送／画像形成用ＣＰＵ４ａは、メインコントローラ７の制御指令及び用紙搬送／画像形成用ＲＯＭ４ｂに記憶されている制御プログラムに基づいて用紙搬送／画像形成部４の全体動作を制御する。
用紙搬送／画像形成用ＲＯＭ４ｂは、用紙搬送／画像形成用ＣＰＵ４ａで実行される制御プログラム及びその他のデータを記憶する不揮発性メモリである。
用紙搬送／画像形成用ＲＡＭ４ｃは、用紙搬送／画像形成用ＣＰＵ４ａが制御プログラムを実行して各種動作を行う際に、データの一時保存先となるワーキングエリアとして用いられる揮発性メモリである。
【００１６】
各画像形成ユニット４１Ｋ，４１Ｙ，４１Ｃ，４１Ｍは、複合機Ａの正面から視て左側から順に水平方向に所定間隔で配置されており、それぞれ感光ドラム（４１ａＫ，４１ａＹ，４１ａＣ，４１ａＭ）（像担持体）、帯電部（４１ｂＫ，４１ｂＹ，４１ｂＣ，４１ｂＭ）、現像部（４１ｃＫ，４１ｃＹ，４１ｃＣ，４１ｃＭ）、除電部（４１ｄＫ，４１ｄＹ，４１ｄＣ，４１ｄＭ）、クリーナ（４１ｅＫ，４１ｅＹ，４１ｅＣ，４１ｅＭ）を備えている。このように、各画像形成ユニット４１Ｋ，４１Ｙ，４１Ｃ，４１Ｍの構成は同一であるため、以下では画像形成ユニット４１Ｋに着目して説明する。
【００１７】
感光ドラム４１ａＫは、その周面に静電潜像及び当該静電潜像に基づくトナー画像が形成される円筒部材であり、複合機Ａの正面から視て奥行き方向に延在して配置され、各々に対して独立に設けられた速度調整が可能な駆動手段（図示せず）により画像形成時に周面方向（図２の感光ドラム４１ａＫの矢印方向）に回転する。帯電部４１ｂＫは、感光ドラム４１ａＫに対して対向配置され、感光ドラム４１ａＫの周面を帯電状態にするものである。現像部４１ｃＫは、感光ドラム４１ａＫの周面に対してトナー（ここではブラックのトナー）を供給することによって感光ドラム４１ａＫの周面上に静電潜像に基づくトナー画像（ここではブラックのトナー画像）を形成（現像）するものである。
【００１８】
除電部４１ｄＫは、次の周回の画像形成に備えて、除電光を感光ドラム４１ａＫに照射することで、感光ドラム４１ａＫの表面を除電して電気的に中性状態にするものである。クリーナ４１ｅＫは、感光ドラム４１ａＫから後述の転写ユニット４３（詳細には中間転写ベルト４３ａ）へトナー画像が転写された後に、感光ドラム４１ａＫに残存するトナーを除去するものである。
レーザスキャニングユニット４２は、各画像形成ユニット４１Ｋ、４１Ｙ、４１Ｃ、４１Ｍの下方に配置されており、レーザ光を帯電状態の各感光ドラム４１ａＫ、４１ａＹ、４１ａＣ、４１ａＭの周面において走査することで各色に対応する静電潜像を形成するものである。
【００１９】
中間転写ユニット４３は、各画像形成ユニット４１Ｋ、４１Ｙ、４１Ｃ、４１Ｍの上方に配置されており、１次転写用の中間転写ベルト４３ａ、該中間転写ベルト４３ａを図２の点線矢印方向に回転させるための駆動ローラ４３ｂ、中間転写ベルト４３ａに張力を与えるためのテンションローラ４３ｃ、中間転写ベルト４３ａの回転に伴って回転する従動ローラ４３ｄ、転写電流を中間転写ベルト４３ａに流すことで各感光ドラム４１ａＫ、４１ａＹ、４１ａＣ、４１ａＭのトナー画像を中間転写ベルト４３ａに転写する１次転写ローラ４３ｅＫ，４３ｅＹ，４３ｅＣ，４３ｅＭ、中間転写ベルト４３ａ上のトナー画像を印刷用紙に２次転写するための２次転写ローラ４３ｆ及び濃度センサ（ＩＤセンサ）４３ｇを備えている。
【００２０】
そして、従動ローラ４３ｄ、１次転写ローラ４３ｅＹ，４３ｅＣ，４３ｅＭは、一体の移動ユニット４３１としてユニット化されている。移動ユニット４３１は、図示しない駆動装置を有し、用紙搬送／画像形成用ＣＰＵ４ａの制御の下で、駆動装置により図３（ａ）示す上方位置または図３の（ｂ）に示す下方位置に位置を切り替えることで、４１ａＹ，４１ａＣ，４１ａＭと中間転写ベルト４３ａとの接触／非接触を切り替える。
【００２１】
図３の（ａ）に示す上方位置に移動ユニット４３１が位置するのは、モノクロ印刷時である。図３（ａ）に示すように移動ユニット４３１が上方位置に位置すると、中間転写ベルト４３ａが上に引っ張られるので、図３の（ａ）に示すように感光ドラム４１ａＹ，４１ａＣ，４１ａＭと中間転写ベルト４３ａとが離間する。そして、感光ドラム４１ａＫのみが動作することで、モノクロ印刷が実行される。
【００２２】
また、図３の（ｂ）に示す下方位置に移動ユニット４３１が位置するのは、フルカラー印刷時または印刷スピード優先のモノクロ印刷時である。図３（ｂ）示すように移動ユニット４３１が下方位置に位置すると、中間転写ベルト４３ａが下に引っ張られるので、図３の（ｂ）に示すように感光ドラム４１ａＹ，４１ａＣ，４１ａＭと中間転写ベルト４３ａとが離間する。そして、感光ドラム４１ａＫ，４１ａＹ，４１ａＣ，４１ａＭが稼動することで、フルカラー印刷が実行される。また、印刷スピードの優先時には、図３の（ｂ）に示す状態で感光ドラム４１ａＫのみを使ったモノクロ印刷が行われる。つまり、移動ユニット４３１の位置を下方位置のままモノクロ印刷を実行する。これにより、移動ユニット４３１を切り替える時間のロスがなくなるので、印刷のスピードをその分はやくすることができる。なお、この際、感光ドラム４１ａＹ，４１ａＣ，４１ａＭは、その表面にトナー画像を形成されないが、中間転写ベルト４３ａの移動に合わせて回転している。
【００２３】
ＩＤセンサ４３ｇは、中間転写ベルト４３ａの転写面のトナー濃度を検出するものであり、２次転写ローラ４３ｆと感光ドラム４１ａＫとの間かつ中間転写ベルト４３ａの進行方向の左右両側に取り付けられている。このＩＤセンサ４３ｇは、中間転写ベルト４３ａの転写面に光を照射し、当該光の反射光量及び拡散光量の違いから中間転写ベルトのトナー濃度を検出し、当該トナー濃度を示す検出信号（電圧信号）を用紙搬送／画像形成用ＣＰＵ４ａに出力する。なお、ＩＤセンサ４３ｇでは、中間転写ベルト４３ａのトナー濃度が低いほど検出信号の電圧は高くなる。
【００２４】
このような中間転写ユニット４３において、各感光ドラム４１ａＫ、４１ａＹ、４１ａＣ、４１ａＭに現像された各色のトナー画像は、一旦、中間転写ベルト４３ａ上に重ね合わされ、その後、駆動ローラ４３ｂと２次転写ローラ４３ｆとの間に搬送される印刷用紙に一括転写されることになる。
【００２５】
定着ユニット４４は、熱及び圧力を加えることによって、中間転写ユニット４３によって印刷用紙に転写されたトナー画像を印刷用紙に対して定着させるものであり、印刷用紙の搬送経路に配置されている。
トナーカートリッジ４５Ｋ、４５Ｙ、４５Ｃ、４５Ｍは、各現像部４１ｃＫ、４１ｃＹ、４１ｃＣ、４１ｃＭに供給すべき各色のトナーを収容するものであり、中間転写ユニット４３の上方に配置されている。また、装置の下部には給紙ローラ４６が設けられており、この給紙ローラ４６によって、用紙カセット４７あるいは給紙トレイ４８から印刷用紙が、上述した中間転写ユニット４３（詳細には駆動ローラ４３ｂと２次転写ローラ４３ｆとの間）に搬送される。
【００２６】
図１に戻り、操作表示部５は、コピー機能キー、プリント機能キー、スキャン機能キー、ファクシミリ機能キー、スタートキー、ストップ／クリアキー、電源キー及びテンキー（数値入力キー）などのハードウェアキーと、タッチパネルとを備えており、それぞれのキーの操作指示をメインコントローラ７に出力するとともにメインコントローラ７の制御の下でタッチパネルに種々の画面を表示する。上記コピー機能キー、プリント機能キー、スキャン機能キー及びファクシミリ機能キーは、各機能を起動するためのキーである。
【００２７】
通信Ｉ／Ｆ部６は、外部のクライアントコンピュータ及び公衆網に接続し、このクライアントコンピュータ及び公衆網との間で各種信号の送受信を行う。そして、通信Ｉ／Ｆ部６は、クライアントコンピュータから入力されるプリント画像データと、公衆網から入力されるファクシミリ画像データとをメインコントローラ７に出力する。一方、ＣＰＵ１は、プリント画像データ及びファクシミリ画像データを画像データ記憶部２に記憶させる。
【００２８】
メインコントローラ７は、複合機Ａの全体の動作を統括的に制御するものであり、図１に示すようにＣＰＵ７ａ、ＲＯＭ７ｂ及びＲＡＭ７ｃを備える。
ＣＰＵ７ａは、ＲＯＭ７ｂに記憶されている制御プログラム、画像データ記憶部２に記憶されている原稿画像データ、プリント画像データ及びファクシミリ画像データ、操作表示部５から入力される操作指示及び通信Ｉ／Ｆ部６を介して外部（クライアントコンピュータ及び公衆網など）から入力される各種指示並びに基づいて複合機Ａの全体動作を制御する。
ＲＯＭ７ｂは、ＣＰＵ７ａで実行される制御プログラム及びその他のデータを記憶する不揮発性メモリである。
ＲＡＭ７ｃは、ＣＰＵ７ａが制御プログラムを実行して各種動作を行う際に、データの一時保存先となるワーキングエリアとして用いられる揮発性メモリである。
【００２９】
次に、上記構成の本実施形態に係る複合機Ａの動作について、図３を参照して説明する。
上述したように、複合機Ａにおいて移動ユニット４３１は、モノクロ印刷時に図３（ａ）に示すように上方位置に位置する。また、移動ユニット４３１は、フルカラー印刷時または印刷スピード優先のモノクロ印刷時に図３（ｂ）に示すように下方位置に位置する。
この際、用紙搬送／画像形成用ＣＰＵ４ａは、動作する感光ドラム４１ａＫ，４１ａＹ，４１ａＣ，４１ａＭと、現像部４１ｃＫ，４１ｃＹ，４１ｃＣ，４１ｃＭをメインコントローラ７のＣＰＵ７ａに通知する。すなわち、移動ユニット４３１が図３の（ａ）に示す上方位置に位置した状態でのモノクロ印刷では、感光ドラム４１ａＫと現像部４１ｃＫとが動作しているとＣＰＵ７ａに通知する。また、移動ユニット４３１が図３の（ｂ）に示すように下方位置に位置した状態でのフルカラー印刷時または印刷スピード優先のモノクロ印刷では、感光ドラム４１ａＫ，４１ａＹ，４１ａＣ，４１ａＭと現像部４１ｃＫ，４１ｃＹ，４１ｃＣ，４１ｃＭとが動作しているとＣＰＵ７ａに通知する。
【００３０】
そして、用紙搬送／画像形成用ＣＰＵ４ａは、ＣＰＵ７ａに通知する情報を４ビット情報で表現する。つまり、４ビット情報のうちの１ビットずつがＫ（ブラック）、Ｙ（イエロー）、Ｍ（マゼンダ）、Ｃ（シアン）のぞれぞれの感光ドラム及び現像部の組み合わせに割り当てられ、感光ドラム及び現像部が動作している場合には、その対応するビットに１が設定され、感光ドラム及び現像部が動作していない場合には、その対応するビットに０が設定される。具体的に、モノクロ印刷時の４ビット情報は「１０００」となり、フルカラー印刷時または印刷スピード優先のモノクロ印刷時には「１１１１」となる。
【００３１】
そして、ＣＰＵ７ａは、用紙搬送／画像形成用ＣＰＵ４ａから通知される４ビット情報に基づいてＫ、Ｙ、Ｍ、Ｃのぞれぞれの感光ドラム及び現像部の組み合わせ毎に消耗度を記録する。つまり、ＣＰＵ７ａは、感光ドラム及び現像部の組み合わせが動作している場合には消耗したとして記録する。
以上のように、本実施形態に係る複合機Ａでは、感光ドラムと前記転写体とが接触し、現像部が動いている場合には、前記感光ドラムと前記現像部が消耗したとして記録する、すなわち印刷スピード優先のモノクロ印刷時でもＹ、Ｍ、Ｃの感光ドラム及び現像部は消耗したとして記録するので、従来よりも感光ドラム及び現像部の交換時期をずれないようにすることができる。
【００３２】
以上、本発明の一実施形態について説明したが、本発明は上記実施形態に限定されることなく、例えば以下のような変形が考えられる。
（１）上記実施形態は、上述したモノクロ印刷は、Ｋ（ブラック）を用いた印刷であるが、Ｙ（イエロー）、Ｍ（マゼンダ）、Ｃ（シアン）のいずれかを用いた印刷であってもよい。その場合、用紙搬送／画像形成用ＣＰＵ４ａは、Ｙ、Ｍ、Ｃのいずれかの感光ドラム及び現像部の組み合わせが動作したことをＣＰＵ７ａに通知する。
【符号の説明】
【００３３】
Ａ…複合機、１…画像読取部、１ａ…ＡＤＦ、１ｂ…ＣＣＤセンサ、２…画像データ記憶部、３…画像処理部、４…用紙搬送／画像形成部（記録手段）、５…操作表示部、６…通信Ｉ／Ｆ部、７…メインコントローラ（記録手段）、４ａ…用紙搬送／画像形成用ＣＰＵ、４ｂ…用紙搬送／画像形成用ＲＯＭ、４ｃ…用紙搬送／画像形成用ＲＡＭ、４１Ｋ，４１Ｙ，４１Ｃ，４１Ｍ…画像形成ユニット、４２…レーザスキャニングユニット、４３…転写ユニット、４４…定着ユニット、４５Ｋ，４５Ｙ，４５Ｃ，４５Ｍ…トナーカートリッジ、４６…給紙ローラ、４７…用紙カセット、４８…給紙トレイ、４１ａＫ，４１ａＹ，４１ａＣ，４１ａＭ…感光ドラム（像担持体）、４１ｂＫ，４１ｂＹ，４１ｂＣ，４１ｂＭ…帯電部、４１ｃＫ，４１ｃＹ，４１ｃＣ，４１ｃＭ…現像部、４１ｄＫ，４１ｄＹ，４１ｄＣ，４１ｄＭ…除電部、４１ｅＫ，４１ｅＹ，４１ｅＣ，４１ｅＭ…クリーナ、４３ａ…中間転写ベルト、４３ｂ…駆動ローラ、４３ｃ…テンションローラ、４３ｄ…従動ローラ、４３ｅＫ，４３ｅＹ，４３ｅＣ，４３ｅＭ…１次転写ローラ、４３ｆ…２次転写ローラ、４３ｇ…ＩＤセンサ、７ａ…ＣＰＵ、７ｂ…ＲＯＭ、７ｃ…ＲＡＭ
【図１】
2011154299.tif 000003
【図２】
2011154299.tif 000004
【図３】
2011154299.tif 000005